(57)【特許請求の範囲】
【請求項１】
原位置に設置したサンプラーボトルに地下水を封圧採水した後、地上に回収した前記サンプラーボトルを圧力開放して前記地下水からの遊離ガスの量を水上置換法により測定する方法であって、
水上置換法に用いる水として、ＣＯ２の飽和度を高めた水を用い、
水のＣＯ２の飽和度を高めながら水のｐＨ値を測定し、測定したｐＨ値が平衡状態に達したときに、遊離ガス量を測定することを特徴とする地下水からの遊離ガスの測定方法。
【請求項２】
原位置に設置したサンプラーボトルに地下水を封圧採水した後、地上に回収した前記サンプラーボトルを圧力開放して前記地下水からの遊離ガスの量を水上置換法により測定する装置であって、
水上置換法に用いるＣＯ２の飽和度を高めた水と、
水のＣＯ２の飽和度を高める飽和度増加手段と、
水のｐＨ値を測定するｐＨ値測定手段と、
測定したｐＨ値が平衡状態に達したときに、遊離ガス量を測定する遊離ガス量測定手段とを備えることを特徴とする地下水からの遊離ガスの測定装置。
【発明の詳細な説明】
【技術分野】
【０００１】
本発明は、地下水からの遊離ガスの測定方法および装置に関し、特に、原位置で採水した地下水から発生する遊離ガス量や、遊離ガスと水の体積比を測定するのに好適な測定方法および装置に関するものである。
【背景技術】
【０００２】
従来、地下水調査では、地盤に試錐孔を穿孔し、図８に示すような装置を用いて対象となる区間から地下水を揚水することが一般的である（例えば、特許文献１を参照）。なお、図８に示す装置は、試錐孔１に配置したパッカー２ａ、ストレーナー２ｂ、圧力計２ｃ、バルブ２ｄ、ＪＦＴロッド２ｅ、サッカーロッド２ｆ、３．５インチ管２ｇ、センタライザー２ｈと、地上に配置したＰＣポンプ用油圧モータ３ａ、流量計３ｂ、セパレータ３ｃ、ガス流量計３ｄ、地上水質センサー３ｅとを有するものである。
【０００３】
一方、地下深部の地下水を、原位置での圧力を保持したまま大気と接触しない状態で採水する地下水モニタリングシステム（ＭＰシステム）が知られている（例えば、特許文献２、非特許文献１を参照）。この方法では、ボーリング孔にＭＰケーシングと呼ばれるパッカーの付いたケーシングを設置し、それにより決められた区間の地下水を採水口の開閉により採水ボトルに取り込んでいる。
【０００４】
図９は、上記のＭＰシステムの構成図を示したものである。この図に示すように、このＭＰシステムは、地中に設けられたボーリング孔４内の深度方向に所定の間隔で設置される複数のパッカー５ａにて多段に区分けされた各区間のケーシングパイプ５ｂ部分に連結された水圧計測用のメジャーメントポート５ｃおよび採水用のポンピングポート５ｄと、位置特定用のロケーションカラー５ｅと、下端閉塞用のエンドプラグ５ｆとを備えている。なお、ケーシングパイプ５ｂの連結部分はＯリング等により水漏れが防止され、ポンピングポート５ｄは、採水作業や計測区間内の水の入れ替え等に使用する図示しない採水ポートを有している。
【０００５】
このＭＰシステムを用いた採水方法について図１０を参照しながら説明する。図１０（１）に示すように、サンプラープローブ６の下端の外部接続口６ｇには、地下水を採水するためのサンプラーボトル７の採水口７ａを接続しておく。このような構成を採用することで、地下水の採水と間隙水圧の測定が可能となる。
【０００６】
サンプラープローブ６による採水作業手順としては、まず、ケーブル８に繋がれたサンプラープローブ６およびサンプラーボトル７を、地上からの制御によりウインチを介してケーシングパイプ５ｂ内の計測対象箇所（任意のメジャーメントポート５ｃの位置）に降ろす。そして、サンプラープローブ６のロケーションアーム６ａをメジャーメントポート５ｃ内壁の溝に設置する。
【０００７】
続いて、図１０（２）に示すように、バッキングシュー６ｂでサンプラープローブ６の圧力センサ６ｃの導入口６ｄをメジャーメントポート５ｃの計測口５ｃ１に押し当てて導入口６ｄを計測口５ｃ１に接続するとともに、バルブ６ｆを開いてサンプラープローブ６の導入口６ｄとサンプラーボトル７の採水口７ａとを連通状態にする。そして、サンプラープローブ６の導入口６ｄ、外部接続口６ｇ、採水口７ａを介して地下水をサンプラーボトル７内に採水する。なお、圧力センサ６ｃで採水対象区間の間隙水圧を測定しながら採水することも可能である。
【０００８】
ここで、採水に用いるサンプラーボトル７はステンレス製の中空構造のものであり、地下深部（例えば深度約１４００ｍまで）の地下水をその圧力を保持した状態で地上に回収することができる（封圧採水）。
【０００９】
地上に回収されたサンプラーボトル７は減圧後開封され、封入してある地下水は現場にて所定の採水ビンに移されてから分析所に送付され、水質分析などに供される。
【先行技術文献】
【特許文献】
【００１０】
【特許文献１】特開平３−６９７９３号公報
【特許文献２】特開２０１５−０１７９０５号公報
【非特許文献】
【００１１】
【非特許文献１】「ＨＤＢ−３、４孔における地下水の水圧・水質長期モニタリング装置の設置（核燃料サイクル開発機構業務報告書）」、ＪＮＣ  ＴＪ５４１０  ２００４−００６、２００４年３月、清水建設株式会社
【発明の概要】
【発明が解決しようとする課題】
【００１２】
ところで、深度が大きくなると、揚水した地下水から遊離ガスが発生するため、セパレータを用いて気相と液相を分離する。それぞれの流量は電磁流量計などで測定するが、測定値が不安定であるため、両者の流量およびガス／水比の信頼性は高くない。また、遊離ガスの採取においては空気の混入が避けられず、ガス組成データの信頼性が低くなってしまうのが現状である。地下深部に建設される放射性廃棄物処分場の安全性評価においては、質の良いガス組成データおよびガス／水比データが必要であるが、上記の従来の方法では質の良いデータを得ることは難しい。
【００１３】
このため、採水した原位置における地下水からの遊離ガスの量を、より正確に測定することが求められていた。
【００１４】
本発明は、上記に鑑みてなされたものであって、原位置における地下水からの遊離ガスの量をより正確に測定することができる地下水からの遊離ガスの測定方法および装置を提供することを目的とする。
【課題を解決するための手段】
【００１５】
上記した課題を解決し、目的を達成するために、本発明に係る地下水からの遊離ガスの測定方法は、原位置に設置したサンプラーボトルに地下水を封圧採水した後、地上に回収した前記サンプラーボトルを圧力開放して前記地下水からの遊離ガスの量を水上置換法により測定する方法であって、水上置換法に用いる水として、ＣＯ２の飽和度を高めた水を用い、水のＣＯ２の飽和度を高めながら水のｐＨ値を測定し、測定したｐＨ値が平衡状態に達したときに、遊離ガス量を測定することを特徴とする。
【００１６】
また、本発明に係る地下水からの遊離ガスの測定装置は、原位置に設置したサンプラーボトルに地下水を封圧採水した後、地上に回収した前記サンプラーボトルを圧力開放して前記地下水からの遊離ガスの量を水上置換法により測定する装置であって、水上置換法に用いるＣＯ２の飽和度を高めた水と、水のＣＯ２の飽和度を高める飽和度増加手段と、水のｐＨ値を測定するｐＨ値測定手段と、測定したｐＨ値が平衡状態に達したときに、遊離ガス量を測定する遊離ガス量測定手段とを備えることを特徴とする。
【発明の効果】
【００１７】
本発明に係る地下水からの遊離ガスの測定方法によれば、原位置に設置したサンプラーボトルに地下水を封圧採水した後、地上に回収した前記サンプラーボトルを圧力開放して前記地下水からの遊離ガスの量を水上置換法により測定する方法であって、水上置換法に用いる水として、ＣＯ２の飽和度を高めた水を用い、水のＣＯ２の飽和度を高めながら水のｐＨ値を測定し、測定したｐＨ値が平衡状態に達したときに、遊離ガス量を測定するので、水上置換法に用いる水に遊離ガス中のＣＯ２が溶解することが妨げられ、原位置における地下水からの遊離ガスの量を従来の方法よりも正確に測定することができるという効果を奏する。
【００１８】
また、本発明に係る地下水からの遊離ガスの測定装置によれば、原位置に設置したサンプラーボトルに地下水を封圧採水した後、地上に回収した前記サンプラーボトルを圧力開放して前記地下水からの遊離ガスの量を水上置換法により測定する装置であって、水上置換法に用いるＣＯ２の飽和度を高めた水と、水のＣＯ２の飽和度を高める飽和度増加手段と、水のｐＨ値を測定するｐＨ値測定手段と、測定したｐＨ値が平衡状態に達したときに、遊離ガス量を測定する遊離ガス量測定手段とを備えるので、水上置換法に用いる水に遊離ガス中のＣＯ２が溶解することが妨げられ、原位置における地下水からの遊離ガスの量を従来の方法よりも正確に測定することができるという効果を奏する。
【図面の簡単な説明】
【００１９】
【図１】図１は、本発明に係る地下水からの遊離ガスの測定方法および装置が適用される地下水モニタリングシステム（ＭＰシステム）の一例を示す図である。
【図２】図２は、地下水モニタリングシステム（ＭＰシステム）による地下水採水方法を説明する図である。
【図３】図３は、サンプラーボトルの一例を示す側断面図である。
【図４】図４は、地下水モニタリングシステム（ＭＰシステム）による採水の手順図である。
【図５】図５は、本発明に係る地下水からの遊離ガスの測定方法および装置の実施の形態を示す概略フローチャート図である。
【図６】図６は、本発明に係る地下水からの遊離ガスの測定方法および装置の実施の形態を示す水上置換法の図である。
【図７】図７は、測定したガスの組成比を本発明の実施例と比較例で比較した図である。
【図８】図８は、従来の揚水試験装置の概略図である。
【図９】図９は、従来の地下水モニタリングシステム（ＭＰシステム）の一例を示す図であり、（１）は全体断面図、（２）はパッカー、（３）はメジャーメントポート、（４）はロケーションカラー、（５）はケーシングパイプ、（６）はポンピングポート、（７）はエンドプラグの斜視図である。
【図１０】図１０は、従来の地下水モニタリングシステム（ＭＰシステム）による採水の手順図であり、（１）は採水前、（２）は採水時の図である。
【発明を実施するための形態】
【００２０】
以下に、本発明に係る地下水からの遊離ガスの測定方法および装置の実施の形態を図面に基づいて詳細に説明する。なお、この実施の形態によりこの発明が限定されるものではない。
【００２１】
まず、本発明に係る地下水からの遊離ガスの測定方法および装置が適用される地下水モニタリングシステム（ＭＰシステム）について図１および図２を参照しながら説明する。
【００２２】
（ＭＰシステム）
図１に示すように、このＭＰシステムは、ボーリング孔１０内の深度方向に所定の間隔で設置される複数のパッカー１２にて多段に区分けされた各区間の中空円筒状のケーシングパイプ１４（ケーシング）部分に連結された水圧計測用のメジャーメントポート１６と、採水用のポンピングポート１８と、位置特定用のロケーションカラー２０と、下端閉塞用のエンドプラグ２２とを備えている。ケーシングパイプ１４の連結部分はＯリング等により水漏れが防止され、ポンピングポート１８は、採水作業や計測区間内の水の入れ替え等に使用する採水ポートを有している。また、各段のケーシングパイプ１４の寸法としては、例えば内径５０〜６０ｍｍ程度、一本あたりの長さ１〜３ｍ程度とすることができる。
【００２３】
このＭＰシステムは、図２に示すように、ケーシングパイプ１４内に挿通され、メジャーメントポート１６に接続してケーシングパイプ１４外部の間隙水圧を測定するための圧力センサを有するサンプラープローブ２４と、サンプラープローブ２４を介して地下水を採水するためのサンプラーボトル２６とをさらに備えており、深度方向多区間の地下水の採水と間隙水圧の測定が可能となっている。サンプラープローブ２４は上記の従来のものと同様な構造であるため詳細な説明は省略する。サンプラーボトル２６はステンレス製であり、地下深部（例えば深度約１４００ｍまで）の地下水をその圧力を保持した状態で地上に回収することができる（封圧採水）。
【００２４】
（サンプラーボトル）
次に、サンプラーボトル２６の構成および作用について説明する。
図３に示すように、サンプラーボトル２６は、上下に延びた中空筒状部３０とこの両端を塞ぐ頂部３２と底部３４とで気密状態に密封された容器により構成される。頂部３２および底部３４の内面側は、互いに平行な面一の状態に形成してある。頂部３２には小径の採水口３６が設けてあり、外側の専用バルブ３８に接続してある。
【００２５】
底部３４の外側部分に形成された凹状部３４ａには固定部材４２ａが設けられ、この固定部材４２ａから下側には容量変更手段２８が設けてある。この容量変更手段２８は、上下方向に延在するピストンロッド４２とその下端部に設けた水平棒状の把持部４０とからなる。把持部４０を介してピストンロッド４２を押し引き操作することにより、サンプラーボトル２６の気密状態を維持しつつ、底部３４を中空筒状部３０内で筒軸方向（筒の延在方向）に移動できるようになっている。
【００２６】
ピストンロッド４２を押し上げて底部３４と頂部３２の内面側同士を隙間なく密着させた状態にすると、サンプラーボトル２６に溜まっていた空気等の気体は採水口３６を通じて外部に排出され、地下水が入れられる前のサンプラーボトル２６の容量を簡便にゼロにすることができる。なお、この操作は、遅くとも採水直前までに行っておくことが必要であるが、好ましくは、地上にてサンプラーボトル２６をサンプラープローブ２４に接続する前に行っておくことが望ましい。また、ピストンロッド４２の押し引き操作については、人の手で行う。
【００２７】
なお、サンプラーボトル２６における容量変更手段２８として、底部３４の外側に設けたピストンロッド４２を押し引き操作することにより底部３４を中空筒状部３０内で筒軸方向に移動可能とした構成について説明したが、これに限るものではない。例えばサンプラーボトル２６の気密状態を維持しつつ底部３４と頂部３２の少なくとも一方を中空筒状部３０内で筒軸方向に沿って移動させて底部３４と頂部３２との間隔を変更することにより、サンプラーボトル２６の容量を変更するようにしてもよい。また、採水直前にサンプラーボトル２６の容量をゼロにして、ボトル内部の空気等の気体を排除可能な構造であれば、そのほかの構造を採用してももちろん構わない。
【００２８】
次に、上記のサンプラーボトル２６を用いたＭＰシステムによる地下水採水作業の具体的手順について説明する。
図２に示すように、サンプラープローブ２４の下側にサンプラーボトル２６を図示しないバルブを介して接続しておく。ここで、サンプラープローブ２４はサンプラープローブとしての機能を兼ねている。地上からの制御によりケーブル１１ａ、ウインチ１１ｂ等を介してサンプラープローブ２４およびサンプラーボトル２６をケーシングパイプ１４内の採水対象箇所に降ろす。
【００２９】
ここで、サンプラーボトル２６内に存在する空気等の気体が地下水に混入しないように、遅くとも地下水の採水直前までに、図３に示すように、ピストンロッド４２を押し上げて底部３４と頂部３２の内面側同士を隙間なく密着させた状態にしておき、採水前のサンプラーボトル２６内の気体容量をゼロにしておく。
【００３０】
次に、図４（１）に示すように、地上から降ろしたサンプラープローブ２４およびサンプラーボトル２６を採水対象箇所のメジャーメントポート１６に設置する。ここで、サンプラープローブ２４のロケーションアーム２４ａは突出する方向に付勢されて、出没自在となっている。このロケーションアーム２４ａを、メジャーメントポート１６内壁に設けられたらせん状の溝に引っ掛けることによりサンプラープローブ２４をメジャーメントポート１６に固定する。
【００３１】
続いて、図４（２）に示すように、バッキングシュー２４ｂでメジャーメントポート１６内壁から反力を取り、サンプラープローブ２４の圧力センサ２４ｃの導入口２４ｄをメジャーメントポート１６の計測口１６ａに押し当てて導入口２４ｄを計測口１６ａに接続する。そして、バルブ２４ｆを開いてサンプラープローブ２４の導入口２４ｄおよび外部接続口２４ｇと、サンプラーボトル２６の採水口３６とを連通状態にする。圧力センサ２４ｃにより採水対象区間の間隙水圧を測定しながら、サンプラープローブ２４の導入口２４ｄを介して地下水をサンプラーボトル２６内に採水する。
【００３２】
ここで、採水する時には対象区間の地下水圧の水頭よりもケーシングパイプ１４内の孔内水位を低下させておく。この状態でサンプラープローブ２４を対象区間のメジャーメントポート１６に設置しバルブ２４ｆを開くと、圧力差によって対象区間の地下水がサンプラーボトル２６内に流入する。この作動圧が例えば約２０ｋＰａに設定してある場合には、孔内水位は対象区間の水圧よりも２０ｋＰａ以下に調整しておけばよい。サンプラーボトル２６内に流入した地下水の圧力によってボトル内の底部３４は下方に押し下げられ、ついにはサンプラーボトル２６の最下部に達することで所定の容量の地下水を採水できる。
【００３３】
サンプラーボトル２６を地上で回収し、圧力を開放することによって遊離ガス量の測定が可能となる。ここで、サンプラーボトル２６から地下水を取り出す場合には、バルブ３８を開き、ピストンロッド４２を押し上げてサンプラーボトル２６の容量を減少することでサンプラーボトル２６内の地下水を回収できる。
【００３４】
（地下水からの遊離ガスの測定方法および装置）
次に、本発明に係る地下水からの遊離ガスの測定方法および装置について説明する。
【００３５】
図５に示すように、本発明に係る地下水からの遊離ガスの測定方法は、原位置に設置したサンプラーボトルに地下水を封圧採水した後（ステップＳ１）、地上に回収したサンプラーボトルを圧力開放して地下水からの遊離ガスの量を水上置換法により測定する方法であって（ステップＳ２）、水上置換法に用いる水として、ＣＯ２（二酸化炭素）の飽和度を高めた水を用い、水のＣＯ２の飽和度を高めながら水のｐＨ値を測定し（ステップＳ３）、測定したｐＨ値が平衡状態に達したときに（ステップＳ４でＹｅｓ）、遊離ガス量を測定するものである（ステップＳ５）。上記のステップＳ１の工程は、上記のＭＰシステムによるサンプラーボトル２６への地下水の封圧採水の工程に相当する。
【００３６】
上記のステップＳ２の工程においては、地上に回収したサンプラーボトル２６を圧力開放して地下水からの遊離ガスの量を水上置換法により測定する。
【００３７】
図６は、本発明による水上置換法の概要を示した図であり、本発明に係る地下水からの遊離ガスの測定装置の実施の形態を表す図に相当する。この図に示すように、水Ｗで満たされた容器４４の水面に、メスシリンダー４６が上下逆さまに配置されている。サンプラーボトル２６は、バルブ３８を介してチューブ４８に連通しており、このチューブ４８の端部はメスシリンダー４６の内部に配置されている。これにより、サンプラーボトル２６内部の地下水から発生した遊離ガスをメスシリンダー４６に捕集できるようになっている。捕集された遊離ガスの量を測定することで、遊離ガス量を把握することができる。
【００３８】
また、この容器４４の外には、ＣＯ２ガスを生成するためのＣＯ２ガス生成手段５０が配置されており、生成したＣＯ２ガスを容器４４内部の水Ｗに供給可能となっている。さらに、この容器４４の内部には、水ＷのｐＨ値を測定するためのｐＨ測定手段５２が配置されており、水ＷのｐＨ値を随時把握できるようになっている。
【００３９】
ところで、深部地下水の多くはある程度の量のＣＯ２を含んでおり、その溶解度は他の遊離ガスと比較して数十倍高いことから、水上置換法の水Ｗに地下水由来のＣＯ２が溶解し、遊離ガス量が低く計量され、遊離ガス組成を正しく測定できなくなるおそれがある。そこで、水上置換法に用いる水Ｗは蒸留水等ではなく、なるべく対象地下水の組成に近いものを用いて、かつＣＯ２ガス生成手段５０によるＣＯ２ガスでバブリングさせ、ＣＯ２の飽和度を高める（上記のステップＳ３）。この確認は水上置換法の水ＷのｐＨ値をｐＨ測定手段５２で観測することで行う。ＣＯ２をバブリングさせると水ＷのｐＨ値は低下していき、ある値で平衡となる（上記のステップＳ４でＹｅｓ）。この時に遊離ガス量の測定を行う（上記のステップＳ５）。また、このガスをメスシリンダー４６から水中で採取することによって、空気の混入を防ぐことができる。
【００４０】
このように、本発明によれば、水上置換法に用いる水Ｗに遊離ガス中のＣＯ２が溶解することが妨げられ、原位置における地下水からの遊離ガスの量を従来の方法よりも正確に測定することができる。
【００４１】
また、サンプラーボトル２６に備わるピストンロッド４２により可動式の底部３４を押し上げることによって（図３を参照）、地下水の回収ができる。その量を測ることでガス／水比が測定でき、この水を分析すれば地下水組成を得ることができる。
【００４２】
（本発明の効果の検証）
次に、本発明の効果の検証について説明する。
表１は、試錐孔の異なる採水区間で採水した地下水サンプル１、２について測定したガス／水比を、本発明の実施例と比較例とで比較したものである。図７は、得られた遊離ガス組成を比較したものである。
【００４３】
【表１】
0006471973.tif 000002
【００４４】
ここで、本発明の実施例は、ｐＨ値が平衡状態となるまでＣＯ２の飽和度を高めた孔内水（地下水）を用いて水上置換法で遊離ガスを捕集した場合の測定結果である。また、比較例（揚水試験）は、上記の従来の揚水試験による測定結果である。比較例（揚水試験）では遊離ガスの採取において空気の混入が避けられない。また、比較例（蒸留水）は、蒸留水を用いて水上置換法で遊離ガスを捕集した場合の測定結果である。
【００４５】
表１に示すように、本発明の実施例によるガス／水比の方が比較例（揚水試験）、比較例（蒸留水）による値よりも高くなっているが、これは遊離したガスを逃さずに測定できているからと考えられる。また、図７に示すように、本発明によって、水上置換法で用いる水に遊離ガス中のＣＯ２が溶解することを防ぎ、より正確なガス組成を測定することができることがわかる。
【００４６】
放射性廃棄物処分の環境影響評価では、遊離ガス量・組成を含めた深部の地下水水質の把握が非常に重要である。本発明によって、地下水モニタリング孔において遊離ガス量・組成が正確に測定できるようになり、深部地下水水質推定のための基礎データを提供できるようになる。
【００４７】
このように、本発明に係る地下水からの遊離ガスの測定方法によれば、原位置に設置したサンプラーボトルに地下水を封圧採水した後、地上に回収した前記サンプラーボトルを圧力開放して前記地下水からの遊離ガスの量を水上置換法により測定する方法であって、水上置換法に用いる水として、ＣＯ２の飽和度を高めた水を用い、水のＣＯ２の飽和度を高めながら水のｐＨ値を測定し、測定したｐＨ値が平衡状態に達したときに、遊離ガス量を測定するので、水上置換法に用いる水に遊離ガス中のＣＯ２が溶解することが妨げられ、原位置における地下水からの遊離ガスの量を従来の方法よりも正確に測定することができる。
【００４８】
また、本発明に係る地下水からの遊離ガスの測定装置によれば、原位置に設置したサンプラーボトルに地下水を封圧採水した後、地上に回収した前記サンプラーボトルを圧力開放して前記地下水からの遊離ガスの量を水上置換法により測定する装置であって、水上置換法に用いるＣＯ２の飽和度を高めた水と、水のＣＯ２の飽和度を高める飽和度増加手段と、水のｐＨ値を測定するｐＨ値測定手段と、測定したｐＨ値が平衡状態に達したときに、遊離ガス量を測定する遊離ガス量測定手段とを備えるので、水上置換法に用いる水に遊離ガス中のＣＯ２が溶解することが妨げられ、原位置における地下水からの遊離ガスの量を従来の方法よりも正確に測定することができる。
【産業上の利用可能性】
【００４９】
以上のように、本発明に係る地下水からの遊離ガスの測定方法および装置は、サンプラーボトルを原位置に設置してこの位置の地下水をサンプラーボトルに封圧採水した後、地上に回収したサンプラーボトルを減圧後開封して地下水の水質を調査するのに有用であり、特に、地下水からの遊離ガスの量をより正確に測定するのに適している。
【符号の説明】
【００５０】
１０  ボーリング孔
１２  パッカー
１４  ケーシングパイプ
１６  メジャーメントポート
１６ａ  計測口
１８  ポンピングポート
２０  ロケーションカラー
２２  エンドプラグ
２４  サンプラープローブ
２４ａ  ロケーションアーム
２４ｂ  バッキングシュー
２４ｃ  圧力センサ
２４ｄ  導入口
２４ｅ  プランジャー
２４ｆ  バルブ
２４ｇ  外部接続口
２６  サンプラーボトル
２８  容量変更手段
３０  中空筒状部
３２  頂部
３４  底部
３４ａ  凹状部
３６  採水口
３８  バルブ
４０  把持部
４２  ピストンロッド
４２ａ  固定部材
４４  容器
４６  メスシリンダー
４８  チューブ
５０  ＣＯ２ガス生成手段
５２  ｐＨ測定手段
Ｗ  水
【図１】
0006471973.tif 000003
【図２】
0006471973.tif 000004
【図３】
0006471973.tif 000005
【図４】
0006471973.tif 000006
【図５】
0006471973.tif 000007
【図６】
0006471973.tif 000008
【図７】
0006471973.tif 000009
【図８】
0006471973.tif 000010
【図９】
0006471973.tif 000011
【図１０】
0006471973.tif 000012